【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
近接センサを備える第１及び第２の端末と、当該第１及び第２の端末と通信可能なサーバ装置とを備える端末特定システムが実行する端末特定方法であって、
前記第１及び第２の端末が互いに接近した場合に、前記第１の端末に備えられる近接センサを用いて検出対象物の接近が検出された日時を示す第１の日時情報及び該接近が検出された際の前記第１の端末の位置を示す第１の位置情報を前記第１の端末が取得するステップと、
前記第１及び第２の端末が互いに接近した場合に、前記第２の端末に備えられる近接センサを用いて検出対象物の接近が検出された日時を示す第２の日時情報及び該接近が検出された際の前記第２の端末の位置を示す第２の位置情報を前記第２の端末が取得するステップと、
前記取得された第１及び第２の日時情報によって示されるそれぞれの日時の差が所定の範囲内であり、前記取得された第１及び第２の位置情報によって示されるそれぞれの位置の差が所定の範囲内である場合、前記サーバ装置が前記第１及び第２の端末を互いに相手方となる端末として特定するステップと
を具備することを特徴とする端末特定方法。
【請求項２】
互いに相手方となる端末として前記第１及び第２の端末が特定された場合、前記サーバ装置が前記第１の端末に関する情報を前記第２の端末に送信する、または前記第２の端末に関する情報を前記第１の端末に送信するステップを更に具備することを特徴とする請求項１記載の端末特定方法。
【請求項３】
前記第１の端末及び前記第２の端末は、それぞれ加速度センサを更に備え、
前記加速度センサを用いて検出された前記第１の端末の加速度に基づいて得られる、前記接近が検出された際に前記第１の端末が向いている方向を示す第１の方向情報を前記第１の端末が取得するステップと、
前記加速度センサを用いて検出された前記第２の端末の加速度に基づいて得られる、前記接近が検出された際に前記第２の端末が向いている方向を示す第２の方向情報を前記第２の端末が取得するステップと
を更に具備し、
前記送信するステップにおいて、前記第１及び第２の方向情報に基づいて前記第１の端末に関する情報を前記第２の端末に送信する、または前記第２の端末に関する情報を前記第１の端末に送信する
ことを特徴とする、請求項２記載の端末特定方法。
【請求項４】
前記送信するステップにおいて、
前記第１の方向情報が前記第１の端末の画面が向いている方向が下方であることを示し、前記第２の方向情報が前記第２の端末の画面が向いている方向が上方であることを示す場合には、前記第１の端末に関する情報を前記第２の端末に送信し、
前記第１の方向情報が前記第１の端末の画面が向いている方向が上方であることを示し、前記第２の方向情報が前記第２の端末の画面が向いている方向が下方であることを示す場合には、前記第２の端末に関する情報を前記第１の端末に送信する
ことを特徴とする請求項３記載の端末特定方法。
【請求項５】
前記第１及び第２の位置情報は、前記第１及び第２の端末が全地球測位システムと通信することによって取得されることを特徴とする請求項１記載の端末特定方法。
【請求項６】
近接センサを備える第１及び第２の端末と通信可能なサーバ装置において、
前記第１及び第２の端末が互いに接近した場合に、前記第１の端末に備えられる近接センサを用いて検出対象物の接近が検出された日時を示す第１の日時情報及び該接近が検出された際の前記第１の端末の位置を示す第１の位置情報を前記第１の端末から受信する第１の受信手段と、
前記第１及び第２の端末が互いに接近した場合に、前記第２の端末に備えられる近接センサを用いて検出対象物の接近が検出された日時を示す第２の日時情報及び該接近が検出された際の前記第２の端末の位置を示す第２の位置情報を前記第２の端末から受信する第２の受信手段と、
前記受信された第１及び第２の日時情報によって示されるそれぞれの日時の差が所定の範囲内であり、前記受信された第１及び第２の位置情報によって示されるそれぞれの位置の差が所定の範囲内である場合、前記第１及び第２の端末を互いに相手方となる端末として特定する特定手段と
を具備することを特徴とするサーバ装置。
【請求項７】
近接センサを備え、サーバ装置と通信可能な端末のコンピュータによって実行されるプログラムであって、
前記コンピュータに、
前記端末及び前記近接センサを備える他の端末が互いに接近した場合に、前記近接センサを用いて検出対象物の接近が検出された日時を示す日時情報及び該接近が検出された際の前記端末の位置を示す位置情報を取得するステップと、
前記取得された日時情報及び位置情報を前記サーバ装置に送信するステップと
を実行させるためのプログラム。
【手続補正２】
【補正対象書類名】明細書
【補正対象項目名】発明の名称
【補正方法】変更
【補正の内容】
【発明の名称】端末特定方法、サーバ装置及びプログラム
【手続補正３】
【補正対象書類名】明細書
【補正対象項目名】０００１
【補正方法】変更
【補正の内容】
【０００１】
本発明は、端末特定方法、サーバ装置及びプログラムに関する。
【手続補正４】
【補正対象書類名】明細書
【補正対象項目名】００１６
【補正方法】変更
【補正の内容】
【００１６】
そこで、本発明の目的は、互いに相手方となる複数の端末を容易に特定することが可能な端末特定方法、サーバ装置及びプログラムを提供することにある。
【手続補正５】
【補正対象書類名】明細書
【補正対象項目名】００１７
【補正方法】変更
【補正の内容】
【００１７】
本発明の１つの態様による端末特定方法は、近接センサを備える第１及び第２の端末と、当該第１及び第２の端末と通信可能なサーバ装置とを備える端末特定システムが実行する端末特定方法が提供される。この端末特定方法は、前記第１及び第２の端末が互いに接近した場合に、前記第１の端末に備えられる近接センサを用いて検出対象物の接近が検出された日時を示す第１の日時情報及び該接近が検出された際の前記第１の端末の位置を示す第１の位置情報を前記第１の端末が取得するステップと、前記第１及び第２の端末が互いに接近した場合に、前記第２の端末に備えられる近接センサを用いて検出対象物の接近が検出された日時を示す第２の日時情報及び該接近が検出された際の前記第２の端末の位置を示す第２の位置情報を前記第２の端末が取得するステップと、前記取得された第１及び第２の日時情報によって示されるそれぞれの日時の差が所定の範囲内であり、前記取得された第１及び第２の位置情報によって示されるそれぞれの位置の差が所定の範囲内である場合、前記サーバ装置が前記第１及び第２の端末を互いに相手方となる端末として特定するステップとを具備する。
【手続補正６】
【補正対象書類名】明細書
【補正対象項目名】００８９
【補正方法】変更
【補正の内容】
【００８９】
このソーシャルゲームでは、例えば端末１１を利用するユーザ（以下、ユーザＡと表記）は当該ユーザＡの仮想空間内（ユーザＡの部屋等）で当該ユーザＡのキャラクタを育成することができ、端末１２を利用するユーザ（以下、ユーザＢと表記）は当該ユーザＢの仮想空間内（ユーザＢの部屋等）で当該ユーザＢのキャラクタを育成することができるものとする。また、このソーシャルゲームにおいては、ユーザＡ及びＢのキャラクタは、他のユーザの仮想空間を訪問することができるものとする。